(57)【要約】【課題】  従来技術は、電気を必要とする形態のもので、例えば停電になったら機能しない。よって、電気を使用せず、かつ、外気温より低い温度の空気を室内に流入させることはできない。【解決手段】  窓枠あるいは網戸枠に取り付ける取付枠に大径の流入口及び小径の吹出口を設けてなる空気流通容器を複数設けたことを特徴とする。【選択図】図１
2018141345.tif 000002
【特許請求の範囲】
【請求項１】
窓枠あるいは網戸枠に取り付ける取付枠に大径の流入口及び小径の吹出口を設けてなる空気流通容器を複数設けたことを特徴とする窓用冷却装置。
【請求項２】
前記空気流通容器の流入口または／及び吹出口にネット部を設けたことを特徴とする請求項１記載の窓用冷却装置。
【請求項３】
前記空気流通容器内に水を入れてなることを特徴とする請求項１又は２記載の窓用冷却装置。
【請求項４】
上段の前記空気流通容器からの水を下段の前記空気流通容器へ送るパイプを設けてなることを特徴とする請求項３記載の窓用冷却装置。
【請求項５】
前記取付枠が、平板を折曲し複数個に空気流通容器を取付ける取付孔を設けると共に、両側に窓枠あるいは網戸枠に着脱自在に固定する固定具を設けてなることを特徴とする請求項１、２、３又は４記載の窓用冷却装置。
【請求項６】
前記空気流通容器を窓の外側あるいは内側に設けてなることを特徴とする請求項１、２、３、４又は５記載の窓用冷却装置。
【発明の詳細な説明】
【技術分野】
【０００１】  本発明は、主に家の窓枠や網戸に取り付け、外気の温度を下げて室内に流入させる窓用冷却装置に関するものである。
【背景技術】
【０００２】  従来の技術として、扇風機の背面に空気が通る筒を設け、その先端を網戸に平らに接触させることによって網戸の外の涼しい空気を取り入れ、かつ網戸の網によって虫の進入を防ぐようにしたものがある。（特許文献１参照）【０００３】  また、別の従来技術として、羽根と羽根を駆動する為の駆動源より成る送風機に於いて、上記送風機は、送風機を支持する送風機支持手段によって建物に設けられている窓に取り付けられ、建物の外部の空気を建物の内部に導くことができることを特徴とし、さらに、上記送風機は、窓に取り付けられている網戸と一体的に形成された送風機支持手段によって、網戸と一体的に成されていることを特徴としているものがある。（特許文献２参照）
【先行技術文献】
【特許文献】
【０００４】
【特許文献１】特開２０１０−３２１９２号公報
【特許文献２】実用新案登録第３０１４３０６号公報
【発明の概要】
【発明が解決しようとする課題】
【０００５】  上記各従来技術のものは、電気を必要とする形態のもので、例えば停電になったら機能しない。
よって、本発明のような電気を使用せず、かつ、外気温より低い温度の空気を室内に流入させることはできない。【０００６】  本発明は、上記のような従来の構成が有していた問題を解決しようとするもので、空気流通容器により、電気を使用することなく、虫が室内に入り込むことなく、かつ、外気より低い温度の空気を流入させることのできる窓用冷却装置を提供することに目的とするものである。
【課題を解決するための手段】
【０００７】  本発明は、上記目的を達成するために、窓枠あるいは網戸枠に取り付ける取付枠に大径の流入口及び小径の吹出口を設けてなる空気流通容器を複数設けたこと、前記空気流通容器の流入口または／及び吹出口にネット部を設けたこと、前記空気流通容器内に水を入れてなること、上段の前記空気流通容器からの水を下段の前記空気流通容器へ送るパイプを設けてなること、前記取付枠が、平板を折曲し複数個に空気流通容器を取付ける取付孔を設けると共に、両側に窓枠あるいは網戸枠に着脱自在に固定する固定具を設けてなること、前記空気流通容器を窓の外側あるいは内側に設けてなることを特徴とする。
【発明の効果】
【０００８】１）、電気を必要とすることなく、空気流通容器を複数個設けた取付枠を窓枠や網戸枠に    取り付けることにより、外側の空気が狭い場所を通り抜けた際の気圧が変化し温度を    下げる作用を利用し、室内の温度を下げることができ、エコなクーラーを提供できる    。
２）、空気流通容器にネット部を設けることにより、蚊や虫の侵入を防止することができ    る。
３）、空気流通容器内に水を入れることにより、気化熱により、より冷気を室内に流入さ    せることができる。
４）、空気流通容器をパイプにて連設することにより、より一層冷気を室内に流入させる    ことができる。
５）、窓用冷却装置を窓の外側や内側に、必要に応じて取り付けられる。
【図面の簡単な説明】
【０００９】
【図１】  本発明の第１実施例を示す窓用冷却装置の空気流通容器の縦断側面図。
【図２】  本発明の第１実施例を示す窓用冷却装置の平面図。
【図３】  本発明の第２実施例を示す窓用冷却装置の一部横断平面図。
【図４】  本発明の第２実施例を示す窓用冷却装置の一部縦断側面図。
【図５】  本発明の第３実施例を示す窓用冷却装置の空気流通容器の縦断側面図。
【図６】  本発明の第４実施例を示す窓用冷却装置の空気流通容器の縦断側面図。
【発明を実施するための形態】
【００１０】  １は、窓用冷却装置である。
２は、網戸枠ＡＤの外側に取り付ける取付枠で、平板の所要位置に後述する空気流通容器３を取付ける取付孔２ａを複数穿設すると共に、一側に網戸枠ＡＤの側溝ＳＭに係止する係止片２ｂを形設し、他側に左右にスライドし、側溝ＳＭ１に係止する係止板２ｃ１にボルト・ナットＢＮにより固定する固定具２ｃを設けてある。
３は、空気流通容器で、大径の流入口３ａ及び小径の吹出口３ｂを設けてなる筒状の物である。（図１．図２参照）
【００１１】  上記窓用冷却装置１の使用例について説明する。
網戸枠ＡＤの裏側（外側）に取り付けるべく一方の側溝ＳＭに係止片２ｂの先端を係止させ、つづいて、ボルト・ナットＢＮを緩め、係止板２ｃ１の先端を側溝ＳＭ１に係止させ、ボルト・ナットＢＮにて固定する。
【００１２】  この状態において、外気Ｇ―――が、空気流通容器３―――の大径の流入口３ａに流入し、小径の吹出口３ｂ―――から圧縮（気圧が変化）され冷却された外気Ｇ１が網戸ＡＤ１を通して室内Ｓに流入することにより室内Ｓの温度を下げることができる。
なお、必要な時に窓Ｍを開閉すればよい。（図１・図２参照）
【００１３】  第２実施例の窓用冷却装置について説明する。
窓用冷却装置２１は、平板を上下段差状に形成した取付枠２２の上端と下端に窓枠ＭＹの内側レールＲ・Ｒ１に係止して取り付ける係止溝２２ａ・２２ｂを設けると共に、前記と同様な大径の流入口２３ａ（３ａ）にネット部２３ｃを設けた空気流通容器２３を取り付ける複数の取付孔２２ｃを穿設してある。（図３・図４参照）
【００１４】  この窓用冷却装置２１の使用例について説明する。
まず、窓Ｍを開けた状態で、室内Ｓ１より窓枠ＭＹの内側レールＲに係止溝２２ａを差し込み、つぎに、内側レールＲ１に係止溝２２ｂ差し込み立設・固定する。（取り外す場合はその逆）（図３・図４参照）
【００１５】  この状態において、外気Ｇ２はネット部２３ｃを通って、室内Ｓ１に冷却した外気Ｇ３が流入するものである。
なお、予め窓Ｍ１を開けた状態で取り付けるもので、窓Ｍ１を閉める時は、窓用冷却装置２１を側方に移動させてから閉めるものである。
そのまま窓用冷却装置２１を取り付けておいても外部からは侵入されない構造となっている。
なお、１階等に取り付けているのなら外側から窓Ｍを閉め鍵（図示せず）を掛けることもできる。（図３・図４参照）
【００１６】  第３実施例の窓用冷却装置について説明する。
窓用冷却装置３１の空気流通容器３３は、大径の流入口３３ａを多少小径にして水溜り部４を設けてなるもので、水ＭＺを入れ気化熱Ｋにより一層冷却効果を高めることができる。（図５参照）
【００１７】  第４実施例の窓用冷却装置について説明する。
窓用冷却装置４１は、上記と同様な空気流通容器４３（３３）に、パイプＰ―――を上下に段違いに連設してなるもので、すべての空気流通容器４３―――に水ＭＺ１を入れてなるもので、入れ方は上方より水を溜めたタンク（図示せず）等を使用し、適量点滴の要領で溜めるものである。（図６参照）
【００１８】  上記各実施例において、材質等は必要に応じて決めればよく、空気流通容器の取付数や大きさ等も必要に応じて決めればよい。
また、窓枠や網戸枠に取り付ける方法においても、同様な機能であれば別の方法でもよい。
さらに、取付枠を折り畳みにし、空気流通容器を取り外し可能にすることにより、収納が楽になる形態も一考です。
【産業上の利用の可能性】
【００１９】  電気のない所でも、停電時においても使用でき、環境にやさしいクーラーを提供でき、色々な場所に使用できるものである。
【符号の説明】
【００２０】  １―――窓用冷却装置
２―――取付枠
３―――空気流通容器
４―――水溜り部
ＡＤ――網戸枠
ＭＹ――窓枠
【図１】
2018141345.tif 000003
【図２】
2018141345.tif 000004
【図３】
2018141345.tif 000005
【図４】
2018141345.tif 000006
【図５】
2018141345.tif 000007
【図６】
2018141345.tif 000008